(57)【要約】【課題】従来の構成では、円筒状のフレ−ムの外側にシ−ト状のアルミニウムで構成されているためステ−タの熱が直接伝わらない。また寸法等のバラツキにより隙間がでできるため、十分な放熱が出来ないという課題を有していた。【解決手段】ステ−タ５の一方向または複数方向側面に高熱伝導率の非鉄系材で構成された放熱板６を直接取付ける構造とし、放熱板の形状を凹凸状にすることにより、簡易な構成で安価に冷却性能を向上させることができる。【選択図】図１
2005278358.tif 000002
【特許請求の範囲】
【請求項１】
ベアリングを介して回転自由に保持されたロータと、前記ベアリングを保持するブラケットと、前記ブラケットにより挟み込まれたステータを有する誘導電動機であって、前記ステ−タの一方向または複数方向の側面に高熱伝導率の非鉄系材で構成された放熱板を直接取付ける構造としたことを特徴とする誘導電動機。
【請求項２】
放熱板をアルミニウムまたはアルミニウム合金で構成した請求項１記載の誘導電動機。
【請求項３】
放熱板をアルミニウムまたはアルミニウム合金で構成するとともに、放熱板を規則的または不規則的な凹凸状に構成し誘導電動機の出力に応じ放熱板の大きさを自由にかえられる構造としたことを特徴とした請求項１に記載の誘導電動機。
【請求項４】
放熱板をアルミニウムまたはアルミニウム合金で構成するとともに、放熱板を規則的または不規則的な凹凸状のフィンの外周にさらに凹凸を構成し誘導電動機の出力に応じ放熱板の大きさを自由にかえられる構造としたことを特徴とした請求項１に記載の誘導電動機。
【請求項５】
請求項１〜４のいずれか一項に記載の誘導電動機を用いた空気調和機用真空ポンプ。
【発明の詳細な説明】
【技術分野】
【０００１】
本発明は、酸素富化機能付き空気調和機等の真空ポンプに使用する誘導電動機に関するものである。
【背景技術】
【０００２】
従来、この種の誘導電動機は図６に示すようにベアリング１０１を介して回転自由に保持されたロ−タ１０２と前記ベアリング１０１を保持するブラケットＡ１０３、Ｂ１０４を有し、ステ−タ１０５は円筒状のフレ−ム１０６により固定され、円筒状のフレ−ム１０６の外側をシ−ト状のアルミニウム１０７で構成されていた。（例えば、特許文献１参照）
【特許文献１】特開平１０−１４１５６号公報
【発明の開示】
【発明が解決しようとする課題】
【０００３】
しかしながら、前記従来の構成では、円筒状のフレ−ム１０６の外側にシ−ト状のアルミニウム１０７で構成されているためステ−タの熱が直接伝わらない。また寸法等のバラツキにより隙間がでできるため、十分な放熱が出来ないという課題を有していた。
【０００４】
本発明は、前記従来の課題を解決するもので、ステ−タの一方向または複数方向に高熱伝導率の非鉄系材で構成された放熱板をステ−タの側面に直接取付ける構造とすることにより、簡易な構成で安価に冷却性能を向上させる誘導電動機を提供することを目的とする。
【課題を解決するための手段】
【０００５】
前記従来の課題を解決するために、本発明の誘導電動機は、ベアリングを介して回転自由に保持されたロータと、前記ベアリングを保持するブラケットと、前記ブラケットにより挟み込まれたステータを有する誘導電動機であって、前記ステ−タの一方向または複数方向に高熱伝導率の非鉄系材で構成された放熱板を前記ステ−タの側面に直接取付ける構造とし、出力に応じ放熱板の大きさを自由にかえられる構造とする。また、放熱板の形状を規則的または不規則的な凹凸状にすることにより、より放熱効果が向上する。
【発明の効果】
【０００６】
本発明の誘導電動機は、ステ−タの一方向または複数方向に高熱伝導率の非鉄系材で構成された放熱板を前記ステ−タの側面に直接取付ける構造とすることにより放熱性が向上する。また、出力に応じ放熱板の大きさを自由にかえられる構造とすることにより簡易な構成で安価、かつ冷却性能を向上させることができる。また、放熱板の形状を規則的または不規則的な凹凸状にすることにより、より放熱効果が向上する。
【発明を実施するための最良の形態】
【０００７】
第１の発明は、ベアリングを介して回転自由に保持されたロータと、前記ベアリングを保持するブラケットと、前記ブラケットにより挟み込まれたステータを有する誘導電動機であって、前記ステ−タの一方向または複数方向に高熱伝導率の非鉄系材で構成された放熱板を直接取付ける構造とする。放熱板をステ−タの側面に直接取付けることにより冷却性を向上できる。
【０００８】
第２の発明は、放熱板の材質をアルミニウムまたはアルミニウム合金にすることにより、より冷却性を向上することができる。
【０００９】
第３の発明は、放熱板をアルミニウムまたはアルミニウム合金で構成するとともに、放熱板の形状を規則的または不規則的な凹凸状に構成し誘導電動機の出力に応じ放熱板の大きさを自由にかえられる構造とすることにより、簡易な構成で安価に冷却性能を向上させることができる。
【００１０】
第４の発明は、放熱板をアルミニウムまたはアルミニウム合金で構成するとともに、放熱板の形状を規則的または不規則的な凹凸状のフィンの外周をさらに凹凸を構成し誘導電動機の出力に応じ放熱板の大きさを自由にかえられる構造とすることにより、簡易な構成で安価に冷却性能をさらに向上させることができる。
【００１１】
第５の発明は、上記１〜４の発明の誘導電動機を空気調和機用真空ポンプに使用したものである。空気調和機用真空ポンプは、室外ユニット内に設置されるため極小スペ−スに取付けられる。設置場所に応じ放熱板の大きさを自由に変えられるため、本発明の誘導電動機を空気調和機用真空ポンプに使用すると本発明の効果がより顕著に発現する。
【００１２】
以下、本発明の実施の形態について、図面を参照しながら説明する。なお、この実施の形態によって本発明が限定されるものではない。
【００１３】
（実施の形態１）
図１は、本発明の実施の形態１における誘導電動機の部分断面図、図２は正面図、図３はステ−タコアの正面図を示すものである。
【００１４】
図1において、ベアリング１を介して回転自由に保持されたロータ２と、前記ベアリング１を保持するブラケットＡ３、Ｂ４と、前記ブラケットＡ３、Ｂ４により挟み込まれたステータ５を有する。ブラケットＡ３、Ｂ４により挟み込まれた前記ステ−タコア７は、図３のように四方向に部分的に平らな面９を持つ。前記ステ−タコア７の部分的に平らな面９の一方向または複数方向に高熱伝導率の非鉄系材で構成された放熱板６をビス８より取付る構造とすることにより、簡易な構成で安価、かつ冷却性能を向上させることができる。また、ステ−タコア７と放熱板６の間に熱伝導性のシリコングリス等を塗布する事により、より密着性が増し冷却性能を向上させることができる。また、放熱板の材質をアルミニウムにすることにより放熱性を向上させることができる。
【００１５】
（実施の形態２）
実施の形態２は、前記実態の形態１と放熱板の形状のみ相違し、その他の点では実施の形態１と同様である。
【００１６】
図４に本発明の実施の形態２における誘導電動機の断面図を示す。図４において、放熱板６ａをアルミニウムで構成するとともに、放熱板６ａの形状を規則的または不規則的な凹凸状に構成する。また、誘導電動機の出力に応じ放熱板６ａの大きさを自由に変えることにより海外の電圧対応が可能となる。例えば、２２０Ｖ地域においては４．５ｃｍ×３ｃｍ、２４０Ｖの地域では４．５ｃｍ×４．５ｃｍとする。誘導電動機の使用電圧に応じ、放熱板６ａの大きさを自由に変えることにより、巻線仕様を同一にすることができ、簡易な構成で安価に冷却性能を向上させることができる。
【００１７】
（実施の形態３）
実施の形態３は、前記の実態の形態１と放熱板の形状のみ相違し、その他の点では実施の形態１と同様である。
【００１８】
図５に本発明の実施の形態３における誘導電動機の断面図を示す。図５において、放熱
板６ｂをアルミニウムで構成するとともに、放熱板６ｂの形状を規則的または不規則的な凹凸状のフィンの外周をさらに凹凸に構成する。フィンの外周部を凹凸状にすることにより放熱面積が２倍となりより放熱効果が向上する。また、誘導電動機の出力に応じ放熱板６ｂの大きさを自由にかえられる構造とすることにより、簡易な構成で安価に冷却性能をさらに向上させることができる。
【００１９】
（実施の形態４）
上記実施の形態１〜３の誘導電動機を空気調和機の真空ポンプに使用したものである。空気調和機用の真空ポンプのモ−タは、室外ユニット内に設置されるため極小スペ−スに取付けられる。設置場所に応じ放熱板の大きさを自由に変えられるため、本発明の誘導電動機を空気調和機用真空ポンプに使用すると本発明の効果がより顕著に発現する。
【産業上の利用可能性】
【００２０】
本発明の誘導電動機は、簡易な構成で安価に放熱効果を向上し冷却性能を上げることができるので、空気調和機等の限られたスペースに設置する真空ポンプ用等のモ−タの用途に有用である。
【図面の簡単な説明】
【００２１】
【図１】本発明の実施の形態１における誘導電動機の部分断面図
【図２】本発明の実施の形態１における誘導電動機の正面図
【図３】本発明の実施の形態１における誘導電動機のステ−タコアの正面図
【図４】本発明の実施の形態３における放熱板の断面図
【図５】本発明の実施の形態４における放熱板の断面図
【図６】従来の誘導電動機の部分断面図
【符号の説明】
【００２２】
１  ベアリング
２  ロ−タ
３  ブラケットＡ
４  ブラケットＢ
５  ステ−タ
６  放熱板
７  ステ−タコア
８  ビス
９  部分的に平らな面
【図１】
2005278358.tif 000003
【図２】
2005278358.tif 000004
【図３】
2005278358.tif 000005
【図４】
2005278358.tif 000006
【図５】
2005278358.tif 000007
【図６】
2005278358.tif 000008